(57)【要約】【課題】複数の決済種による決済が可能でありながら、効率的でかつスムーズな写真プリント注文を行うことができる写真プリント受付装置を提供する。【解決手段】画像入力処理部５２によって入力された撮影コマ画像の写真プリント注文を行うため、ディスプレイ１に表示したプレジャッジ画面を通じて撮影コマ画像の選択やそのプリント枚数などの設定情報を処理するプレジャッジ情報処理部５８と、写真プリント注文に係る課金決済処理を実行すると共に、複数の決済種に対して課金決済処理可能に構成された課金決済コントロールユニット２０とクレジットカード決済処理部６０とを備えた写真プリント受付装置において、投入された決済種を判別して当該決済種を課金決済処理のための決済種として決定する決済種決定部５９と、決済種決定部５９とプレジャッジ情報処理部５８とを並行動作させるマルチタスク実行部６１Ａとを備えた。【選択図】図３
2008040748.tif 000002
【特許請求の範囲】
【請求項１】
画像記憶媒体から読み出された撮影コマ画像の写真プリント注文を行うため、所定の注文画面を表示させると共に当該注文画面を通じて入力された注文情報を処理する注文情報処理部と、前記写真プリント注文に係る課金決済処理を実行すると共に、複数の決済種に対して課金決済処理可能に構成された課金決済処理部とを備えた写真プリント受付装置において、
投入された決済種を判別して当該決済種を課金決済処理のための決済種として決定する決済種決定部と、
前記決済種決定部と前記注文情報処理部とを並行動作させるマルチタスク実行部とを備えた写真プリント受付装置。
【請求項２】
前記撮影コマ画像のプレジャッジ画面を表示させると共に、当該プレジャッジ画面を通じて入力されたプレジャッジ情報を処理するプレジャッジ情報処理部を備え、前記プレジャッジ情報処理部を前記注文情報処理部とする請求項１に記載の写真プリント受付装置。
【請求項３】
前記決済種にクレジットカードを含むと共に、投入されたクレジットカードに記憶されているカード情報を含む認証情報の認証処理を行う認証処理部を備え、前記決済種決定部によりクレジットカードが前記課金決済処理のための決済種として決定された場合、前記マルチタスク実行部は、さらに前記認証処理部も併せて並行動作させる請求項１又は２に記載の写真プリント受付装置。
【発明の詳細な説明】
【技術分野】
【０００１】
本発明は、画像記憶媒体から読み出された撮影コマ画像の写真プリント注文を行うため、所定の注文画面を表示させると共に当該注文画面を通じて入力された注文情報を処理する注文情報処理部と、前記写真プリント注文に係る課金決済処理を実行すると共に、複数の決済種に対して課金決済処理可能に構成された課金決済処理部とを備えた写真プリント受付装置に関する。
【背景技術】
【０００２】
上記のような写真プリント受付装置に関連する技術として、例えば特許文献１の画像処理システムが知られている。この画像処理システムは、画像読取装置などから画像データを読み取り、読み取った画像データに対して所望のサービスを施して印刷装置から出力するシステムであり、利用されたサービスの内容に応じて課金金額が計算され、課金決済処理が行われる構成となっている。この課金決済処理のため、このシステムには複数種類の課金装置（「コインラック」、「Felicaリーダ（電子マネーの一例）」、「Debitカードリーダ」の３種類）が備えられており、ユーザはシステムの利用に際して、まず、サービス利用に対する課金の種類をこれら３種類のうちから選択する形態が採られている。
【０００３】
また、課金決済処理の際にクレジットカードも利用可能なものとして、特許文献２のプリントシステムがある。このプリントシステムは、カードリーダなどの画像入力手段により記憶媒体などから画像データを読み取り、読み取った画像データに対してプリントする画像や枚数などの注文内容を設定し、支払方法を選択して利用料の決済を行い、その後、注文内容に基づいて画像を記録シートにプリントするものである。支払方法としては、現金払い又はクレジットカードによる支払いを選択することができるが、その他の例としてプリペイドカードなども挙げられている。クレジットカードによる支払いを選択した場合、ＩＤ読取装置にクレジットカードを挿入すると、カード番号が読み取られて利用料の決済が行われる。
【０００４】
【特許文献１】特開２００６−７２４５１号公報（段落番号〔００１４〕〜〔００１５〕、〔００２２〕、〔００３２〕、〔００３４〕〜〔００３８〕、図２〜図４）
【特許文献２】特開２０００−３４７３０１号公報（段落番号〔００１４〕〜〔００１８〕、〔００２１〕〜〔００２２〕、〔００３１〕〜〔００３７〕、図１、図３〜図４）
【発明の開示】
【発明が解決しようとする課題】
【０００５】
複数の決済種に対して課金決済処理可能に構成された上記のような写真プリント受付装置では、写真プリント注文において、課金決済処理のための決済種を選択させる決済種選択画面を表示し、表示された複数の決済種の中から所定の決済種を選択する操作を行っている。しかしながら、通常は課金決済処理に際してユーザは利用する決済種を決めており、かかる選択画面を表示して選択させることは、ユーザの操作が増えることになる。
【０００６】
また、決済種としてクレジットカードを利用する場合、クレジットカードによる決済は、写真プリント受付装置とクレジットカードの認証・決済サーバとの間でカード情報などの認証情報の認証処理や写真プリント料金などの決済情報の決済処理を行う必要があるが、上記のように写真プリントの注文内容の確定後にかかる処理を開始すると、その処理にある程度の時間を要するため、ユーザを待たせることになる。
【０００７】
本発明は、かかる問題点に着目してなされたものであり、その目的は、複数の決済種による決済が可能でありながら、効率的でかつスムーズな写真プリント注文を行うことができる写真プリント受付装置を提供することにある。
【課題を解決するための手段】
【０００８】
上記目的を達成するための本発明に係る写真プリント受付装置の第一特徴構成は、画像記憶媒体から読み出された撮影コマ画像の写真プリント注文を行うため、所定の注文画面を表示させると共に当該注文画面を通じて入力された注文情報を処理する注文情報処理部と、前記写真プリント注文に係る課金決済処理を実行すると共に、複数の決済種に対して課金決済処理可能に構成された課金決済処理部とを備えた写真プリント受付装置において、投入された決済種を判別して当該決済種を課金決済処理のための決済種として決定する決済種決定部と、前記決済種決定部と前記注文情報処理部とを並行動作させるマルチタスク実行部とを備えた点にある。
【０００９】
すなわち、前記決済種決定部を備えることにより、投入された決済種が課金決済処理のための決済種として決定されるので、ユーザにとって従来のような選択画面による決済種の選択操作が不要となる。さらに、前記マルチタスク実行部を備えることで、前記決済種決定部と前記注文情報処理部とを並行動作させることができるので、写真プリントの注文を行っている間、例えば注文情報の処理中などの時間の空いたところで、所定の決済種を投入するだけで課金決済処理のための決済種の決定を行うことができる。これにより、効率的でかつスムーズな写真プリント注文を行うことが可能となる。
【００１０】
なお、「決済種」とは、現金決済、電子マネー決済、或いは、クレジットカード決済といったユーザと写真プリント受付装置との間で写真プリント注文に係る料金（写真プリントの出力のための料金）を決済するための種類を示す。なお、電子マネーとしては、非接触型の電子マネーと接触型の電子マネーとに大きく分けられるが、本発明に用いられる電子マネーは特定の形態に限定されるものではないが、装置内に保持される接触型の電子マネーがより適している。
【００１１】
また、本発明に係る写真プリント受付装置の第二特徴構成は、前記撮影コマ画像のプレジャッジ画面を表示させると共に、当該プレジャッジ画面を通じて入力されたプレジャッジ情報を処理するプレジャッジ情報処理部を備え、前記プレジャッジ情報処理部を前記注文情報処理部とする点にある。
【００１２】
写真プリント注文のために表示される注文画面の好適な実施形態の一つとしてプレジャッジ画面がある。このプレジャッジ画面において、ユーザはプリントする撮影コマ画像の選択やそのプリント枚数などの設定をすることができる。ユーザの操作によるプレジャッジ作業の間には、決済種を投入するための時間も十分できることから、このプレジャッジ作業の間に決済種の投入も可能にし、課金決済処理のための決済種を決定することで写真プリント注文を効率的かつスムーズに行うことができる。
【００１３】
さらに、本発明に係る写真プリント受付装置の第三特徴構成は、前記決済種にクレジットカードを含むと共に、投入されたクレジットカードに記憶されているカード情報を含む認証情報の認証処理を行う認証処理部を備え、前記決済種決定部によりクレジットカードが前記課金決済処理のための決済種として決定された場合、前記マルチタスク実行部は、さらに前記認証処理部も併せて並行動作させる点にある。
【００１４】
上述のとおり、クレジットカード決済を行う場合には、認証・決済処理を行う必要がある。注文内容が確定するまでは写真プリントに係る料金が確定しないので決済処理を行うことはできないが、前記認証処理部を備えることにより、決済処理と分けて認証処理を先行して行うことができ、さらにマルチタスク実行部によりこの認証処理部も並行動作されるので、注文受付処理を行っている間であっても認証処理を行うことができる。このため、注文受付処理の間に認証処理を終え、注文受付処理後（注文内容確定後）には決済処理を行うことができるので、従来に比べて認証処理に相当する時間を短縮することができ、その分ユーザを待たせる時間を削減することができる。
【発明を実施するための最良の形態】
【００１５】
以下、本発明の写真プリント受付装置の実施形態として、撮影コマ画像の写真プリントを出力するプリンタユニットを併せて備えたセルフ写真プリント装置を例として図面に基づいて説明する。
〔全体構成〕
図１に、セルフ写真プリント装置としてのプリントキオスク端末機が示されている。プリントキオスク端末機は、ＤＰ店やコンビニエンスストア等の店頭に設置され、デジタルスチルカメラやカメラ付き携帯電話機やデジタルムービカメラのスチル撮影機能を利用して取得された撮影コマ画像データ（以下単に撮影コマ画像と略称するが、撮影コマ画像データによって可視化された画像自体も混乱を生じない範囲で撮影コマ画像と呼ぶことにする）に基づいて種々の形態の写真プリントを出力する機能や、撮影コマ画像を電子アルバム化してＤＶＤ−ＲやＣＤ−Ｒ等の記憶媒体に記憶する機能を有し、各種操作はユーザによるセルフサービスで行われる。
【００１６】
このプリントキオスク端末機は、上部に写真処理サービス受付部Ａを備え、下部のボックス状コンソールに課金決済部Ｂとプリンタユニットとしてのプリント処理部Ｃとを装備している。すなわち、この実施形態では、写真処理サービス受付部Ａと課金決済部Ｂとが、本発明の写真プリント受付装置に相当する。写真処理サービス受付部Ａは上部ハウジングとこれに取り付けられた液晶ディスプレイ１によって形付けられている。液晶ディスプレイ１にはグラフィック化された操作画面に対して操作入力を行うためのタッチパネル２が備えられている。上部ハウジングの前面には、コンパクトフラッシュ（商標）、ＳＤカード（商標）、メモリスティック（商標）等のフラッシュメモリなどのメモリカードＭａから撮影コマ画像を取得する複数種のメディアドライブ３と、ＣＤ−ＲやＤＶＤ−Ｒ等のディスク型記録メディアＭｂからの撮影コマ画像やＣＧ画像（この明細書ではＣＧ画像も人工的な撮影コマ画像と見なしており、撮影コマ画像にＣＧ画像も含めている）などを取得するディスクドライブ４と、レシートを発行するレシートプリンタ５とが装着されている。上部ハウジングの上面には、カメラ付き携帯電話機やデジタルカメラから直接撮影コマ画像の転送を可能にするＵＳＢなどのデータ伝送コネクタ６が備えられている。上部ハウジングの内部には、このプリントキオスク端末機で利用される写真処理サービスにおける種々の処理機能を実現するメインコントロールユニット５０を備えている。
【００１７】
図１に示すように、課金決済部Ｂは、ボックス状コンソールの表面に露出する課金決済パネル１０を備えている。この課金決済パネル１０は、現金決済領域１０ａと、電子マネー決済領域１０ｂと、クレジットカード決済領域１０ｃとに区分けされている。現金決済領域１０ａには、硬貨を投入する硬貨投入口１１と、紙幣を投入する紙幣挿入口１２と、釣り銭払出口１３とが形成されている。電子マネー決済領域１０ｂには、非接触型電子マネー（ＩＣカード）との間で金銭データのデータ伝送を行うための交信面１４と、接触型電子マネーカードを挿入するための電子マネーカード挿入口１５とが形成されている。さらに、クレジットカード決済領域１０ｃには、クレジットカードを挿入するためのクレジットカード挿入口１６が形成されている。すなわち、このプリントキオスク端末機においては、現金決済、電子マネー決済、クレジットカード決済の３種類の決済種に対応可能である。
【００１８】
ここでは図示されていないが、硬貨投入口１１には硬貨処理器１７ａ、紙幣挿入口１２には紙幣処理器１７ｂ、釣り銭払出口１３には釣り銭処理器１７ｃが連係しており、交信面１４には非接触型電子マネー処理器１８ａ、電子マネーカード挿入口１５には接触型電子マネー処理器１８ｂ、クレジットカード挿入口にはクレジットカード処理器１９ａが連係している。これらの硬貨処理器１７ａ、紙幣処理器１７ｂ、釣り銭処理器１７ｃ、非接触型電子マネー処理器１８ａ、接触型電子マネー処理器１８ｂ、クレジットカード処理器１９ａは、課金決済コントロールユニット２０によって制御される。
【００１９】
プリント処理部Ｃは、この実施形態では２台の昇華型プリンタユニット４０から構成されており、各プリンタユニット４０から排出された写真プリントは、ボックス状コンソールの下部表面に露出する共通の写真プリント取出口４１に集積される。それぞれのプリンタユニット４０に、異なるタイプの、例えばシート幅や材質の異なるプリント媒体を装填することにより、異なるサイズや異なる表面仕上げの写真プリントをプリント媒体の交換なしで出力することができる。プリンタユニット４０に採用されるその他のプリント方式としては、熱転写方式やインクジェット方式が挙げられるが、本発明は、特定のプリント方式に限定していない。また、プリンタユニット４０は１台や３台以上で構成しても良い。
【００２０】
〔制御系の構成〕
このプリントキオスク端末機の制御系は図２のように示すことができる。写真プリント処理を含む装置全体を管理するメインコントロールユニット５０は、マイクロプロセッサ（ＣＰＵ）とＲＯＭやＲＡＭなどのメモリとを備えると共に、グラフィックインターフェースを簡単に実現するため汎用ＯＳ部を搭載し、この汎用ＯＳ部から供給されるプログラムセットを利用しながら各種機能プログラムを構築しているアプリケーション部が実装されている。マイクロプロセッサからの命令に応じて情報の入出力を行う入出力インターフェースに、ディスプレイ１、タッチパネル２、メディアドライブ３、ディスクドライブ４、レシートプリンタ５、データ伝送コネクタ６、そして２台のプリンタユニット４０が接続されている。課金決済コントロールユニット２０は、ワンチップマイコンによって構成することが可能であり、その入出力インターフェースには硬貨処理器１７ａ、紙幣処理器１７ｂ、釣り銭処理器１７ｃ、非接触電子マネー処理器１８ａ、接触型電子マネー処理器１８ｂ、クレジットカード処理器１９ａが接続されている。メインコントロールユニット５０と課金決済コントロールユニット２０はそれぞれの通信インターフェースを介して情報伝達可能に接続されており、メインコントロールユニット５０からの写真プリントに係る料金情報の伝達や、課金決済コントロールユニット２０からユーザによる金銭や電子マネー、或いはクレジットカードの投入の検知情報などを伝達することができる。なお、クレジットカードでの課金決済処理を実現するため、このプリントキオスク端末機のメインコントロールユニット５０は、ネットワークＮを介してクレジットカード管理会社などに設置されている認証・決済サーバＳと接続されており、これにより認証・決済サーバＳとの間でクレジットカードに記憶されているカード情報や写真プリント注文に係る料金情報などを送受信することができる。
【００２１】
メインコントロールユニット５０と課金決済コントロールユニット２０のアプリケーション部によって主に作り出される、特に本発明に関係する各種処理機能を図３の機能ブロック図を用いて説明する。
【００２２】
メディアドライブ３やディスクドライブ４やデータ伝送コネクタ６を通じて送られてきた画像記憶媒体から読み出された撮影コマ画像をその画像データフォーマットに基づいてメモリ５１に展開する画像入力処理部５２と、メモリ５１に展開された撮影コマ画像に対して必要な画像処理を施す画像処理部５３と、画像処理を終えた画像データからプリンタユニット４０に適合するプリントデータを生成するプリントデータ生成部５４と、液晶ディスプレイ１に表示されたグラフィック化された操作画面に対するタッチパネル２（場合によってはキーボードなどの入力デバイス）を用いた簡単な操作入力を実現するためのグラフィックインターフェースを作り出すためのＧＵＩ部５５が用意されている。
【００２３】
また、写真サービス管理テーブル５６に登録された写真プリントの出力形態を規定するサービス種を参照し、ＧＵＩ部５５を介してディスプレイ１に受け付け可能なサービス種を提示した写真プリントサービス選択画面を表示させると共に、この選択画面を通じて入力された写真プリントサービス情報を処理するサービス情報処理部５７、撮影コマ画像のプレジャッジ画面を表示させると共に、当該プレジャッジ画面を通じて入力されたプレジャッジ情報（プレジャッジ画面において入力された撮影コマ画像の選択やそのプリント枚数などの設定情報、すなわちプレジャッジに係る注文情報）を処理するプレジャッジ情報処理部５８も用意されている。なお、プレジャッジ情報処理部５８にはプレジャッジ画面生成部５８Ａが含まれており、このプレジャッジ画面生成部５８Ａにより撮影コマ画像のサムネイル画像に基づいてプレジャッジ画面が生成される。具体的には、読み込んだ撮影コマ画像にサムネイル画像が含まれている場合は、画像入力処理部５２によって撮影コマ画像の本データとは別にメモリ５１に展開し、もしサムネイル画像が含まれていない場合や適切でなかった場合は画像処理部５３に指令して本データから作り出された縮小画像をサムネイル画像として生成することにより、サムネイル画像を取得する。プレジャッジ画面生成部５８Ａは、この取得したサムネイル画像を用いて撮影コマ画像を一覧化しているプレジャッジ（ＰＪ）画面をディスプレイ１に表示する。
【００２４】
さらに、課金決済コントロールユニット２０からの決済種の検知情報に基づいて、投入された決済種を判別して当該決済種を課金決済処理のための決済種として決定する決済種決定部５９と、クレジットカード決済における認証・決済処理を行うクレジットカード決済処理部６０も用意されている。このクレジットカード決済処理部６０には、クレジットカード管理会社などに設置された認証・決済サーバＳとの間で、クレジットカードに記憶されたカード情報を含む認証情報を送信して認証処理を行う認証処理部６０Ａ、写真プリント注文に係る料金情報を含む決済情報を送信して決済処理を行う決済処理部６０Ｂが含まれている。
【００２５】
そして、注文情報に従って画像処理部５３やプリントデータ生成部５４などを制御して所望の写真プリントを出力するための工程を管理すると共に、写真プリント注文に係る各種処理の管理を行う写真プリント注文管理部６１が用意されている。この写真プリント注文管理部６１には、プレジャッジ情報処理部５８（本発明の注文情報処理部の一例）と決済種決定部５９とを並行動作させると共に、決済種決定部５９によりクレジットカードが課金決済処理のための決済種として決定された場合には、クレジットカード決済処理部６０の認証処理部６０Ａも併せて並行動作させるマルチタスク実行部６１Ａと、写真プリントの出力のための注文情報（選択したサービス種情報やプレジャッジ情報など）を管理する注文情報管理部６１Ｂと、写真プリント注文に係る料金を算出する料金算出部６１Ｃとが含まれている。
【００２６】
課金決済コントロールユニット２０に構築される機能部としては、現金決済、電子マネー決済或いはクレジットカード決済における各種処理を管理する課金管理部２１と、硬貨処理器１７ａや紙幣処理器１７ｂからの信号に基づいて、硬貨若しくは紙幣の投入検知や提示された料金に達する金額が投入されたかどうかを判定する入金判定部２２、提示された料金に比べて過剰な投入金額に対して釣り銭を算定して釣り銭処理器１７ｃに制御信号を与える釣り銭演算部２３、非接触電子マネー処理器１８ａや接触型電子マネー処理器１８ｂからの信号に基づいて、電子マネーの投入検知や電子マネー決済が適正に行われたか否かを確認する電子マネー決済確認部２４、クレジットカード処理器１９ａと連係してクレジットカードに記憶されたカード情報を読み取って、カード情報を取得するクレジットカード情報取得部２５などが挙げられる。この課金管理部２１は、種々の情報をメインコントロールユニット５０の写真プリント注文管理部６１や決済種決定部５９などと共有している。なお、本実施形態においては、この課金決済コントロールユニット２０とクレジットカード決済処理部６０とで本発明の課金決済処理部が構成されている。
【００２７】
ユーザにより現金、電子マネー或いはクレジットカードの投入（非接触型電子マネーの場合は交信面へ一旦接近させる動作）が行われると、投入された決済種の検知情報が課金管理部２１により決済種決定部５９に伝えられ、決済種決定部５９はこの検知情報に基づいて、投入された決済種を判別して当該決済種を課金決済処理のための決済種として決定する。なお、現金の場合は硬貨１枚若しくは紙幣１枚が投入されれば、現金投入が検知されるように構成されている。
【００２８】
さらに、課金決済処理のための決済種としてクレジットカードが決定された場合には、クレジットカード情報取得部２５によって取得されたカード情報が、課金管理部２１及び写真プリント注文管理部６１を介して、クレジットカード決済処理部６０の認証処理部６０Ａへ伝えられ、この取得されたカード情報を含む認証情報の認証処理が行われる。
【００２９】
一方、このプリントキオスク端末機では、後述するように現金決済と電子マネー・クレジットカード決済とで異なる料金体系を採用している。従って、決済種決定部５９において決定された課金決済処理のための決済種の情報は写真プリント注文管理部６１に伝えられ、その料金算出部６１Ｃにおいて、この決定された決済種の料金体系に基づいて、写真プリントの出力のための料金が算出される。
【００３０】
このプリントキオスク端末機では、プリントサイズ別でプリント枚数に応じて計算された料金を支払う枚数プリントサービス、一定料金で所定範囲の枚数のプリントを行う定額プリントサービス、料金別で設定された数の撮影コマ画像を１枚のプリントに合成するマルチプリントサービス、撮影コマ画像に別に用意されているキャラクターや背景を合成する特殊編集プリントサービスなど、複数のサービス種が取り扱い可能であり、それらのサービス種には、最初に選んだ段階で料金が決定するものや、最終的にプリント枚数が確定するまで料金が決定できないものがある。そのようなサービス種の例を以下に示すが、これらのサービス種の料金体系は、１円単位の決済が可能な電子マネー決済或いはクレジットカード決済を決済種とするケースと、１円単位の決済はできず１０円単位の決済を行う現金決済を決済種とするケースとで区分けされ、夫々所定の料金が設定されている。
（１）枚数プリントＬ
ユーザによってプリント枚数が設定されるＬサイズの任意枚数写真プリント出力であり、写真プリント１枚当たり料金は、現金決済において２０円、電子マネー決済・クレジットカード決済において１９円となっている。
（２）枚数プリント２Ｌ
ユーザによってプリント枚数が設定される２Ｌサイズの任意枚数写真プリント出力であり、写真プリント１枚当たり料金は、現金決済において４０円、電子マネー決済・クレジットカード決済において３８円となっている。
（３）３０枚プリントＬ
予め３０枚以下のＬサイズ写真プリント出力に限定された定額サービスであり、料金は現金決済において５００円、電子マネー決済・クレジットカード決済において４６５円となっている。
（４）３０枚プリント２Ｌ
予め３０枚以下の２Ｌサイズ写真プリント出力に限定された定額サービスであり、料金は現金決済において１０００円、電子マネー決済・クレジットカード決済において９２５円となっている。
（５）２０コママルチプリント
ユーザによって選択された２０個の撮影コマ画像を一覧化できるように合成して１枚の大判（例えば２ＬサイズやＡ４サイズ）写真プリントとして出力する定額サービスであり、料金は現金決済において５００円、電子マネー決済・クレジットカード決済において４８５円となっている。
【００３１】
このようなサービス種に関する情報は、写真サービス管理テーブル５６に、図４で例示されるようなデータ内容項目でもって登録されている。データ内容項目としては、サービス種を特定するコードであるサービスＩＤ、サービス種の名称、適用決済種、出力されるプリントサイズ、出力されるプリント枚数、１枚の写真プリントに割り当てられる撮影コマ画像数、料金、このサービス種を表すアイコンを格納しているアイコンアドレスなどである。
【００３２】
上述したように、この写真サービス管理テーブル５６はサービス情報処理部５７によって参照され、このサービス情報処理部５７がＧＵＩ部５５を介してディスプレイ１の画面上に受け付け可能なサービス種をアイコンにより表示させる。すなわち、サービス情報処理部５７は写真サービス管理テーブル５６にアクセスして、図５に例示されているような写真プリントサービス選択画面をディスプレイ１に表示させる。
【００３３】
〔写真プリント処理の工程〕
上述のように構成されたプリントキオスク端末機における写真プリント処理の工程を図６のフローチャートを用いて説明する。
【００３４】
まず、写真サービスの開始が指令されると（＃１０１）、図５に示す写真プリントサービス選択画面がディスプレイ１に表示される。ユーザはディスプレイ１に表示された写真プリントサービス選択画面を見て、希望するサービス種を選択する（＃１０２）。次に、ディスプレイ１に表示される入力メディア選択画面（図示せず）を利用して、ユーザはプリントソースとして持参してきた画像記録メディア（メモリカードＭａやディスク型記録メディアＭｂ）を選択し、該当するドライブ（メディアドライブ３又はディスクドライブ４）に装着する（＃１０３）。装着された画像記録メディアからは撮影コマ画像が読み取られ、画像入力処理部５２によってメモリ５１に展開される（＃１０４）。その際、読み込んだ撮影コマ画像にサムネイル画像が含まれている場合は、画像入力処理部５２によって撮影コマ画像の本データとは別にメモリ５１に展開し、もしサムネイル画像が含まれていない場合や適切でなかった場合は画像処理部５３に指令して本データから作り出された縮小画像をサムネイル画像として生成する。そして、プレジャッジ画面生成部５８Ａにより、このサムネイル画像を用いて、図７に示すように、撮影コマ画像を一覧化しているプレジャッジ（ＰＪ）画面がディスプレイ１に表示される（＃１０５）。
【００３５】
このプレジャッジ画面を通じて、ユーザは、写真プリントサービスの処理対象にしたい撮影コマ画像の選択やそのプリント枚数、場合によっては色補正を設定することができる（＃１０６）。例えば、図７のプレジャッジ画面では、左側領域に６個の撮影コマ画像（サムネイル画像）を一覧表示する撮影コマ画像表示欄７１と、右欄領域に色濃度補正と枚数設定のためのボタン配置欄７２が配置されている。プリント枚数設定を行うためには、デフォルトでプリント枚数は「０」に設定されているので、処理対象となる撮影コマ画像を選択し、枚数設定用の増減ボタン７３を操作する。設定された枚数は各撮影コマ画像の下に表示される。色補正を行うためには、補正対象となる撮影コマ画像を選択し、「イエロー」、「マゼンタ」、「シアン」、「濃度」の各増減ボタン７４を操作する。増減ボタン７４の間にある「Ｎ（ニュートラル）」ボタン７５は「補正なし」に設定する機能をもつ。
【００３６】
また、このプレジャッジ作業と並行して、写真プリント注文に係る料金について課金決済処理するための決済種の受付が可能に構成されている。すなわち、現金決済、電子マネー決済、或いはクレジットカード決済のうちユーザが所望する決済種を課金決済パネル１０の対応する投入口若しくは挿入口に投入し（＃２０１）、投入された決済種がクレジットカードの場合（＃２０２Ｙｅｓ分岐）は認証処理を行って適正に認証がなされた後（＃２０４）、現金又は電子マネーの場合（＃２０２Ｎｏ分岐）は＃２０４の認証処理を経ずに、投入された決済種が課金決済処理のための決済種として決定される（＃２０３）。クレジットカードの認証処理においては、認証処理部６０Ａからカード情報を含む認証情報がネットワークＮを介して認証・決済サーバＳに送信され、認証・決済サーバＳは、この認証情報を受信して認証条件の確認処理を行う。これにより適正に認証がなされれば認証ＯＫの情報が認証処理部６０Ａに送信され、認証処理が終了する。これら一連の処理はプレジャッジ情報処理と並行動作可能に構成されているので、ユーザは決済種の決定処理やクレジットカードの認証処理の間にもプレジャッジ作業を進めることができる。この場合、プレジャッジ画面には決済種の投入が可能であることを示す決済種欄７６が表示され、ユーザにより決済種の投入が行われると、決定された課金決済処理のための決済種が決済種表示欄７６Ａに表示される。この決済種欄７６は、全てのプレジャッジ画面において表示される。
【００３７】
なお、投入された決済種が、非接触型の電子マネー以外の場合、すなわちクレジットカード、接触型電子マネーカード又は現金の場合、これらは決済処理が終了するまで装置内に保持される。
【００３８】
「戻る」ボタンや「次へ」ボタンを操作しながら処理したい撮影コマ画像に対する設定を終えると、「ＯＫ］ボタンを操作することで、このプレジャッジ作業が終了する（＃１０７Ｙｅｓ分岐）。プレジャッジ作業が終了し、プレジャッジ作業中に決済種の投入があり課金決済処理のための決済種が決定されていると（＃１０８Ｙｅｓ分岐）、決定された決済種の料金体系に基づいて写真プリントに係る料金の算出処理が行われる（＃１１０）。一方、プレジャッジ作業中に決済種の投入がなく、課金決済処理のための決済種が決定されていない場合には（＃１０８Ｎｏ分岐）、ユーザに決済種を選択させるための決済種選択画面（図示せず）が表示され、ユーザはこの選択画面で所望の決済種を選択し（＃１０９）、この選択された決済種に基づいて写真プリントに係る料金の算出処理が行われる（＃１１０）。
【００３９】
料金が算出されると、この料金がディスプレイ１に表示され、課金決済処理が開始される（＃１１１）。課金決済処理を行うための決済種がクレジットカードの場合は（＃１１２Ｙｅｓ分岐）、後述するクレジットカード決済処理が（＃２０４）、課金決済処理を行うための決済種が現金又は電子マネーの場合は（＃１１２Ｎｏ分岐）、現金決済処理又は電子マネー決済処理が行われる（＃１１３）。このクレジットカード決済処理においては、決済処理部６０Ｂから料金情報を含む決済情報がネットワークＮを介して認証・決済サーバＳに送信され、認証・決済サーバＳは、この決済情報を受信して決済条件の確認処理を行う。これにより適正に確認処理がなされれば決済ＯＫの情報が決済処理部６０Ｂに送信され、クレジットカード決済処理が終了する。クレジットカード決済処理が終了すると、保持されていたクレジットカードはクレジットカード挿入口１６から排出される。
【００４０】
一方、現金決済の場合は、課金決済処理のための決済種を決定するため最初に投入した金額が、表示料金（算出された料金）に対して不足している場合、硬貨投入口１１又は紙幣挿入口１２に不足分の金銭を投入して課金決済処理を行う。なお、最初に投入した金額又は不足分として投入した金銭を加えた金額が、表示料金を超過している場合には、釣り銭払出口１３から釣り銭が支払われる。接触型の電子マネーカードの場合は、表示料金が引き落とされて電子マネー決済処理が終了した後、保持されていた電子マネーカードが電子マネーカード挿入口１５から排出される。非接触型電子マネーの場合は、再度交信面１４に非接触型電子マネーを接近させることで表示料金の引き落としが行われ、電子マネー決済処理が終了する。
【００４１】
そして、課金決済処理が終了すると、注文情報に基づいてプリント処理が開始される（＃１１５）。すなわち、写真プリントサービス選択画面やプレジャッジ画面などを通じて設定された注文情報（サービス種やプリントする撮影コマ画像など）などに基づいて撮影コマ画像が処理され、最終的にプリントデータ生成部５４でプリントデータ化され、このプリントデータによりプリンタユニット４０が駆動されて、注文通りの写真プリントが出力され、写真プリント取出口４１に排出される。
【００４２】
〔別実施形態１〕
上述した実施形態においては、プレジャッジ情報処理部５８を本発明の注文情報処理部として構成したが、サービス情報処理部５７も含めて注文情報処理部を構成しても良い。また入力メディアの選択及び撮影コマ画像の入力処理の間も課金決済処理のための決済種の決定が可能なように、画像入力処理部５２や入力メディア選択画面の表示・受付を行う入力メディア情報処理部（図示せず）も注文情報処理部に含めるように構成しても良い。さらに、複数の決済種を組合せて課金決済処理可能に構成している場合には、マルチタスク実行部が注文情報処理部と決済種決定部と認証処理部とを並行動作させるように構成しても良い。
【００４３】
〔別実施形態２〕
上述した実施形態においては、メインコントロールユニット５０と課金決済コントロールユニット２０とを別体として構成したが、これらを一体として構成、すなわちＣＰＵやＯＳを共有して構成しても良い。
【００４４】
〔別実施形態３〕
上述した実施形態では、プリントキオスク端末機の形態で説明したが、この形態に限定されるわけではなく、サービス種の選択や処理対象となる撮影コマ画像の選択を行い、その料金を決済するまでのプロセスを行う場所と異なる場所で実際の写真プリントの出力プロセスを行い、出力された写真プリントを配送するような形態、つまり、プリント処理部Ｃが、本発明の写真プリント注文受付装置としての写真処理サービス受付部Ａ及び課金決済部Ｂとは独立した装置として構成される形態であってもよい。
【００４５】
〔別実施形態４〕
上述した実施形態では、料金の決済種を現金決済、電子マネー決済、クレジット決済として説明したが、この形態に限定されるのではなく、例えば、プリペイドカードやデビットカードによる決済方式、または店舗において発行する「ポイント」による決済方式等を用いても良く、更に電子マネー決済としては非接触ＩＣカードと同様の機能を有する携帯電話機等を用いても良い。
【図面の簡単な説明】
【００４６】
【図１】本実施形態に係るプリントキオスク端末機の外観図
【図２】プリントキオスク端末機の制御系を示すブロック図
【図３】メインコントローラと課金決済コントローラの機能を示す機能ブロック図
【図４】写真サービス管理テーブルに登録されたサービス種のデータ構造を説明する説明図
【図５】写真プリントサービス選択画面の一例を示す画面図
【図６】写真プリントサービスの一連の流れを示すフローチャート
【図７】プレジャッジ画面の一例を示す画面図
【符号の説明】
【００４７】
２０  課金決済コントロールユニット（課金決済処理部）
５０  メインコントロールユニット
５６  写真サービス管理テーブル
５７  サービス情報処理部
５８  プレジャッジ情報処理部（注文情報処理部）
５９  決済種決定部
６０  クレジットカード決済処理部（課金決済処理部）
６０Ａ  認証処理部
６１  写真プリント注文管理部
６１Ａ  マルチタスク実行部
【図１】
2008040748.tif 000003
【図２】
2008040748.tif 000004
【図３】
2008040748.tif 000005
【図４】
2008040748.tif 000006
【図５】
2008040748.tif 000007
【図６】
2008040748.tif 000008
【図７】
2008040748.tif 000009